【手続補正書】
【提出日】令和1年8月15日(2019.8.15)
【手続補正１】
【補正対象書類名】特許請求の範囲
【補正対象項目名】全文
【補正方法】変更
【補正の内容】
【特許請求の範囲】
【請求項１】
取得条件の成立に基づいて、第１情報を取得する取得手段と、
その取得手段により取得された前記第１情報が記憶される判定情報記憶手段と、
その判定情報記憶手段に記憶された前記第１情報を判定する判定手段と、
その判定手段に判定されるよりも前に、前記判定情報記憶手段に記憶された前記第１情報に基づく事前判定を実行することが可能な事前判定手段と、
その事前判定手段による事前判定結果を示す事前情報を前記取得条件の成立毎に記憶する事前情報記憶手段と、
前記判定手段による判定結果を示すための識別情報が表示される表示手段と、
その表示手段に前記識別情報を動的表示させる表示制御手段と、
前記識別情報を前記表示手段に動的表示させる判定遊技の動的表示態様として複数の動的表示態様が記憶された動的表示態様記憶手段と、
その動的表示態様記憶手段から、前記判定結果に基づいて、一の動的表示態様を決定する動的表示態様決定手段と、を有した遊技機において、
前記事前情報記憶手段に記憶された前記事前情報に基づいて、特定表示態様を前記表示手段に表示させる回数を決定することが可能な特定表示回数決定手段と、
前記特定表示態様を表示するか否かの判別を前記事前情報に基づいて実行する特定判別手段と、を有し、
前記特定表示回数決定手段は、前記事前情報記憶手段に前記特定の判定結果と判定されることを示す前記事前判定に対応する前記事前情報が記憶されていない状態で、前記特定判別手段により前記特定表示態様を表示すると判別された場合に、前記事前情報記憶手段に記憶された前記事前情報に対応した前記取得条件の成立回数未満で前記特定表示態様を前記表示手段に表示させる回数を最終回で動的表示される前記識別情報の動的表示態様が特定の動的表示態様となるように決定可能に構成され、
前記特定表示態様は、前記特定表示回数決定手段により前記回数が決定された場合に、前記判定情報記憶手段に記憶されたそれぞれの前記第１情報に対応して表示される連続する２つの前記動的表示態様に跨って前記識別情報が表示されていた表示領域に１回ずつそれぞれ表示されるものであり、
前記特定表示態様が表示される期間には、前記識別情報に対応した特殊識別情報を前記識別情報とは異なる表示態様で前記識別情報よりも小さい大きさで前記特定表示態様が表示されない領域に表示されることが可能に構成されているものであることを特徴とする遊技機。
【請求項２】
前記表示手段は、遊技者が視認可能な位置に配置されているものであることを特徴とする請求項１記載の遊技機。
【手続補正２】
【補正対象書類名】明細書
【補正対象項目名】０００７
【補正方法】変更
【補正の内容】
【０００７】
この目的を達成するために本発明の遊技機は、取得条件の成立に基づいて、第１情報を取得する取得手段と、その取得手段により取得された前記第１情報が記憶される判定情報記憶手段と、その判定情報記憶手段に記憶された前記第１情報を判定する判定手段と、その判定手段に判定されるよりも前に、前記判定情報記憶手段に記憶された前記第１情報に基づく事前判定を実行することが可能な事前判定手段と、その事前判定手段による事前判定結果を示す事前情報を前記取得条件の成立毎に記憶する事前情報記憶手段と、前記判定手段による判定結果を示すための識別情報が表示される表示手段と、その表示手段に前記識別情報を動的表示させる表示制御手段と、前記識別情報を前記表示手段に動的表示させる判定遊技の動的表示態様として複数の動的表示態様が記憶された動的表示態様記憶手段と、その動的表示態様記憶手段から、前記判定結果に基づいて、一の動的表示態様を決定する動的表示態様決定手段と、を有し、前記事前情報記憶手段に記憶された前記事前情報に基づいて、特定表示態様を前記表示手段に表示させる回数を決定することが可能な特定表示回数決定手段と、前記特定表示態様を表示するか否かの判別を前記事前情報に基づいて実行する特定判別手段と、を有し、前記特定表示回数決定手段は、前記事前情報記憶手段に前記特定の判定結果と判定されることを示す前記事前判定に対応する前記事前情報が記憶されていない状態で、前記特定判別手段により前記特定表示態様を表示すると判別された場合に、前記事前情報記憶手段に記憶された前記事前情報に対応した前記取得条件の成立回数未満で前記特定表示態様を前記表示手段に表示させる回数を最終回で動的表示される前記識別情報の動的表示態様が特定の動的表示態様となるように決定可能に構成され、前記特定表示態様は、前記特定表示回数決定手段により前記回数が決定された場合に、前記判定情報記憶手段に記憶されたそれぞれの前記第１情報に対応して表示される連続する２つの前記動的表示態様に跨って前記識別情報が表示されていた表示領域に１回ずつそれぞれ表示されるものであり、前記特定表示態様が表示される期間には、前記識別情報に対応した特殊識別情報を前記識別情報とは異なる表示態様で前記識別情報よりも小さい大きさで前記特定表示態様が表示されない領域に表示されることが可能に構成されているものである。
【手続補正３】
【補正対象書類名】明細書
【補正対象項目名】０００９
【補正方法】変更
【補正の内容】
【０００９】
本発明の遊技機によれば、取得条件の成立に基づいて、第１情報を取得する取得手段と、その取得手段により取得された前記第１情報が記憶される判定情報記憶手段と、その判定情報記憶手段に記憶された前記第１情報を判定する判定手段と、その判定手段に判定されるよりも前に、前記判定情報記憶手段に記憶された前記第１情報に基づく事前判定を実行することが可能な事前判定手段と、その事前判定手段による事前判定結果を示す事前情報を前記取得条件の成立毎に記憶する事前情報記憶手段と、前記判定手段による判定結果を示すための識別情報が表示される表示手段と、その表示手段に前記識別情報を動的表示させる表示制御手段と、前記識別情報を前記表示手段に動的表示させる判定遊技の動的表示態様として複数の動的表示態様が記憶された動的表示態様記憶手段と、その動的表示態様記憶手段から、前記判定結果に基づいて、一の動的表示態様を決定する動的表示態様決定手段と、を有し、前記事前情報記憶手段に記憶された前記事前情報に基づいて、特定表示態様を前記表示手段に表示させる回数を決定することが可能な特定表示回数決定手段と、前記特定表示態様を表示するか否かの判別を前記事前情報に基づいて実行する特定判別手段と、を有し、前記特定表示回数決定手段は、前記事前情報記憶手段に前記特定の判定結果と判定されることを示す前記事前判定に対応する前記事前情報が記憶されていない状態で、前記特定判別手段により前記特定表示態様を表示すると判別された場合に、前記事前情報記憶手段に記憶された前記事前情報に対応した前記取得条件の成立回数未満で前記特定表示態様を前記表示手段に表示させる回数を最終回で動的表示される前記識別情報の動的表示態様が特定の動的表示態様となるように決定可能に構成され、前記特定表示態様は、前記特定表示回数決定手段により前記回数が決定された場合に、前記判定情報記憶手段に記憶されたそれぞれの前記第１情報に対応して表示される連続する２つの前記動的表示態様に跨って前記識別情報が表示されていた表示領域に１回ずつそれぞれ表示されるものであり、前記特定表示態様が表示される期間には、前記識別情報に対応した特殊識別情報を前記識別情報とは異なる表示態様で前記識別情報よりも小さい大きさで前記特定表示態様が表示されない領域に表示されることが可能に構成されているものである。